(57)【要約】【課題】庫内にランプとダクトを有する冷蔵庫において、コスト低減とランプカバーを外すことなくランプの交換を可能とする。【解決手段】内箱１１と外箱１２との間に発泡断熱材を充填して冷蔵室８を形成し、冷蔵室８の背面にランプ１７を有する冷蔵庫において、発泡断熱材充填前に冷蔵室背面内箱１１に固定されたランプソケット１４を有し、ランプ１７はランプソケット１４にランプ１７を下側にして組み込んで固定するとともに、冷蔵室背面に冷気ダクト１５を備え、ランプ１７の前面を覆うランプカバー１６を冷気ダクト１５に一体に形成し、ランプカバー１６の下方に開口部を設け、開口部からランプ１７を着脱可能にしているので、部品点数が削減でき、組立のコストを低減することができる。また、冷気ダクト１５およびランプカバー１６を外すことなくランプ１７の交換が可能となる。【選択図】図１
2005114309.tif 000002
【特許請求の範囲】
【請求項１】
内箱と外箱との間に発泡断熱材を充填して冷蔵室を形成し、前記冷蔵室背面にランプを有する冷蔵庫において、発泡断熱材充填前に前記冷蔵室背面内箱に固定されたランプソケットを有し、前記ランプは前記ランプソケットにランプを下側にして組み込んで固定するとともに、冷蔵室背面に冷気ダクトを備え、前記ランプの前面を覆うランプカバーを前記冷気ダクトに一体に形成し、前記ランプカバーの下方に開口部を設け、前記開口部から前記ランプを着脱可能にしたことを特徴とする冷蔵庫。
【請求項２】
ランプカバーの下部とランプの下部が略同一線上としたことを特徴とする請求項１に記載の冷蔵庫。
【請求項３】
ランプカバーとランプとのクリアランスは、指が入る程度の寸法としたことを特徴とする請求項１または２に記載の冷蔵庫。
【請求項４】
ランプカバーの正面に穴を設けたことを特徴とする請求項１から請求項３のいずれか一項に記載の冷蔵庫。
【請求項５】
ランプカバーの正面に設けられた穴は、円周状に複数設け、外周に向かって、穴径を小さくすることを特徴とする請求項４に記載の冷蔵庫。
【請求項６】
ランプカバーの側面および上面に凹みを設けたことを特徴とする請求項１から請求項５のいずれか一項に記載の冷蔵庫。
【請求項７】
冷気ダクトは、ランプカバーの下部に曲面にて形成された凹部を設けたことを特徴とする請求項１から請求項６のいずれか一項に記載の冷蔵庫。
【請求項８】
冷気ダクトに設けられたランプカバー下部の凹部は、冷気ダクトと同一の樹脂製のもので、前記凹部の奥面を内箱に接するように冷気ダクトと一体成形したことを特徴とする請求項７に記載の冷蔵庫。
【請求項９】
冷気ダクトに設けられたランプカバー下部の凹部に、反射材を備えたことを特徴とする請求項７または８に記載の冷蔵庫。
【発明の詳細な説明】
【技術分野】
【０００１】
本発明は、庫内にランプを有する冷蔵庫に関するものである。
【背景技術】
【０００２】
従来、この種の冷蔵庫は庫内にランプを備え、その前面にランプカバーを有している。（例えば、特許文献１参照）
図４は、特許文献１に記載された従来の庫内灯取付け構造を示すものである。図３に示すように、冷蔵庫本体１の上部に冷凍室２を有し、冷凍室２の天面には冷気ダクト３を設けている。そして、冷気ダクト３の先端部にはランプケース５を設け、ランプケース５内にランプ４を配置するとともにランプ４を覆うようにランプカバー６を設けている。
【０００３】
上記構成により、庫内を均一に冷却できるとともに、庫内を明るく照明することができるというものである。
【特許文献１】特開平４−８４０９３号公報
【発明の開示】
【発明が解決しようとする課題】
【０００４】
しかしながら、上記従来の構成では、ランプ４を覆うように冷気ダクト３とは別にランプカバー６を配置しているため、部品点数と組立て工数の増加によりコスト増となる。さらに、ランプ４を交換する際、ランプカバー６を取り外す必要があり、ランプ交換時、作業性が悪いという課題を有している。
【０００５】
本発明は、上記従来の課題を解決するもので、庫内灯ランプ関連のコスト低減と、ランプ交換時の作業性を向上することを目的とする。
【課題を解決するための手段】
【０００６】
上記従来の課題を解決するために、本発明の冷蔵庫は、内箱と外箱との間に発泡断熱材を充填して冷蔵室を形成し、前記冷蔵室背面にランプを有する冷蔵庫において、発泡断熱材充填前に前記冷蔵室背面内箱に固定されたランプソケットを有し、前記ランプは前記ランプソケットにランプを下側にして組み込んで固定するとともに、冷蔵室背面に冷気ダクトを備え、前記ランプの前面を覆うランプカバーを前記冷気ダクトに一体に形成し、前記ランプカバーの下方に開口部を設け、前記開口部から前記ランプを着脱可能にしたものである。
【０００７】
これによって、組立部品点数を削減でき、組立の簡素化が可能となる。また、ランプカバーを外すことなくランプの交換が可能となる。
【発明の効果】
【０００８】
本発明の冷蔵庫は、庫内灯ランプ関連の部品点数を削減でき、組立の簡素化が可能となり、コスト低減を図ることができる。また、ランプカバーを外すことなくランプの交換が可能となり、作業性を向上することができる。
【発明を実施するための最良の形態】
【０００９】
本発明の請求項１に記載の発明は、内箱と外箱との間に発泡断熱材を充填して冷蔵室を形成し、前記冷蔵室背面にランプを有する冷蔵庫において、発泡断熱材充填前に前記冷蔵室背面内箱に固定されたランプソケットを有し、前記ランプは前記ランプソケットにランプを下側にして組み込んで固定するとともに、冷蔵室背面に冷気ダクトを備え、前記ランプの前面を覆うランプカバーを前記冷気ダクトに一体に形成し、前記ランプカバーの下方に開口部を設け、前記開口部から前記ランプを着脱可能にしたものであり、部品点数が削減でき、組立のコストを低減することができる。
【００１０】
請求項２に記載の発明は、請求項１に記載の発明において、ランプカバーの下部とランプの下部が略同一線上としたものであり、ランプ交換時、ランプがつまみやすく、容易に取外すことができ、作業性が向上する。
【００１１】
請求項３に記載の発明は、請求項１または２に記載の発明において、ランプカバーとランプとのクリアランスは、指が入る程度の寸法としたものであり、ランプ取外し時に容易に指先が入り、簡単にランプの取外し作業をすることができる。
【００１２】
請求項４に記載の発明は、請求項１から請求項３のいずれか一項に記載の発明において、ランプカバーの正面に穴を設けたものであり、穴を通してランプの光を庫内に照射することで、庫内の照度を高めることができる。
【００１３】
請求項５に記載の発明は、請求項４に記載の発明において、ランプカバーの正面に設けられた穴は、円周状に複数設け、外周に向かって、穴径を小さくするものであり、ランプの光を有効に庫内に照射でき、さらに、ランプカバーの意匠性を向上することができる。
【００１４】
請求項６に記載の発明は、請求項１から請求項５のいずれか一項に記載の発明において、ランプカバーの側面および上面に凹みを設けたものであり、ランプカバーの立体的な独立性を強調でき、意匠性を向上することができる。
【００１５】
請求項７に記載の発明は、請求項１から請求項６のいずれか一項に記載の発明において、冷気ダクトは、ランプカバーの下部に曲面にて形成された凹部を設けたものであり、ランプの光を反射させ、庫内を効率的に照射することができる。また、光を反射させることで、ランプの熱によるランプカバーの熱変形を防止できる。また、手が入りやすくなり、ランプ交換が簡単にできるようになる。
【００１６】
請求項８に記載の発明は、請求項７に記載の発明において、冷気ダクトに設けられたランプカバー下部の凹部は、冷気ダクトと同一の樹脂製のもので、前記凹部の奥面を内箱に接するように冷気ダクトと一体成形したものであり、部品点数の削減ができるとともに、冷気ダクトの組み込みが確実となり、組立バラツキを抑えることができる。
【００１７】
請求項９に記載の発明は、請求項７または８に記載の発明において、冷気ダクトに設けられたランプカバー下部の凹部に、反射材を備えたものであり、庫内の照明効果が向上され、冷蔵室庫内が明るく、使い勝手が向上できる。また、ランプの熱によるランプカバーの熱変形を確実に防止できる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における冷蔵庫の要部断面図、図２は、同実施の形態における冷蔵庫のランプカバー部の斜視図、図３は、同実施の形態における冷蔵庫のランプおよびランプカバー部の要部拡大図である。
【００２０】
図1から図３において、冷蔵庫本体１０は、樹脂製の内箱１１と鋼板製の外箱１２によって箱体を形成し、内箱１１と外箱１２との間に発泡断熱材を充填している。冷蔵庫本体１０の上部には冷蔵室８、下部には冷凍室９を有し、冷蔵室８の背面には、発泡断熱材充填前に冷蔵室背面内箱１１に設けた穴１３はめ込み固定されたランプソケット１４を有している。そして、発泡断熱材充填後、前記ランプソケット１４にランプ１７を下側に向けて組み込んで固定している。そして、冷蔵室背面には、冷凍室９の背面に設けた冷却器（図示せず）からの冷気を冷蔵室に供給する冷気ダクト１５を備え、前記ランプ１７の前面を覆う凸形状で形成され、透光性材料からなるランプカバー１６を前記冷気ダクト１５に一体に形成している。また、前記ランプカバー１６の下方には冷蔵室８の庫内に連通する開口部を設け、前記開口部から前記冷気ダクト１５を外すことなく前記ランプ１７を着脱可能にしている。なお、冷蔵室８背面の冷気ダクト１５はビス等により内箱１１に固定している。
【００２１】
また、ランプカバー１６の下部Ｌ１とランプ１７の下部Ｌ２が略同一線上となるように配置している。
【００２２】
また、ランプカバー１６とランプ１７とのクリアランスＳ１、およびランプ１７と内箱１１とのクリアランスＳ２は、指が入る１５ｍｍ程度の寸法としている。
【００２３】
また、ランプカバー１６の正面には複数の穴１９を設け、中心部から外周に向かって円周状に穴径を徐々に小さくしている。
【００２４】
また、冷気ダクト１５に一体成形するランプカバー１６の側面および上面には凹みを設けている。
【００２５】
また、冷気ダクト１５は、ランプカバー１６の下部に曲面にて形成された凹部１８を設け、凹部１８は、冷気ダクト１５と同一材料の樹脂製で、凹部１８の奥面を内箱１１に接するように冷気ダクト１５と一体成形している。
【００２６】
また、前記凹部１８の表面には反射材料としての反射材の塗布あるいは反射シートを貼り付けている。
【００２７】
上記構成により、本発明の冷蔵庫は、内箱１１と外箱１２との間に発泡断熱材を充填して冷蔵室８を形成し、冷蔵室８の背面にランプ１７を有する冷蔵庫において、発泡断熱材充填前に冷蔵室背面内箱１１に固定されたランプソケット１４を有し、ランプ１７はランプソケット１４にランプ１７を下側にして組み込んで固定するとともに、冷蔵室背面に冷気ダクト１５を備え、ランプ１７の前面を覆うランプカバー１６を冷気ダクト１５に一体に形成しているので、ランプ１７は、冷気ダクト１５の一部が凸形状で形成されたランプカバー１６により覆われ、ランプ１７の光が直接目に入ってこない。
【００２８】
また、ランプカバー１６の下方に開口部を設け、開口部からランプ１７を着脱可能にしているので、部品点数が削減でき、組立のコストを低減することができる。また、冷気ダクト１５およびランプカバー１６を外すことなくランプ１７の交換が可能となる。
【００２９】
また、ランプカバー１６の下部Ｌ１とランプ１７の下部Ｌ２が略同一線上となるように配置しているので、ランプ交換時、ランプ１７がつまみやすく、容易に取外すことができ、作業性が向上する。
【００３０】
また、ランプカバー１６とランプ１７とのクリアランスＳ１、およびランプ１７と内箱１１とのクリアランスＳ２は、指が入る１５ｍｍ程度の寸法としているので、ランプ１７取外し時に容易に指先が入り、簡単にランプ１７の取外し作業をすることができる。
【００３１】
また、ランプカバー１６の正面には複数の穴１９を設け、中心部から外周に向かって円周状に穴径を徐々に小さくしているので、穴を通してランプの光を庫内に照射することで、庫内の照度を高めることができる。さらに、穴１９を中心部から外周に向かって円周状に穴径を徐々に小さくすることで、ランプの光を有効に庫内に照射でき、かつ、ランプカバーの意匠性を向上することができる。
【００３２】
また、冷気ダクト１５に一体成形するランプカバー１６の側面および上面には凹みを設けているので、ランプカバー１６の立体的な独立性を強調でき、さらに意匠性を向上することができる。
【００３３】
また、冷気ダクト１５は、ランプカバー１６の下部に曲面にて形成された凹部１８を設け、凹部１８は、冷気ダクト１５と同一材料の樹脂製で、凹部１８の奥面を内箱１１に接するように冷気ダクト１５と一体成形しているので、ランプ１７の光を反射させ、庫内を効率的に照射することができる。また、光を反射させることで、ランプ１７の熱によるランプカバー１６の熱変形を防止できる。また、手が入りやすくなり、ランプ交換が簡単にできるようになる。
【００３４】
また、冷気ダクト１５は、ランプカバー１６の下部に曲面にて形成された凹部１８を設け、凹部１８は、冷気ダクト１５と同一材料の樹脂製で、凹部１８の奥面を内箱１１に接するように冷気ダクト１５と一体成形しているので、部品点数の削減ができるとともに、冷気ダクトの組み込みが確実となり、組立バラツキを抑えることができる。
【００３５】
また、前記凹部１８の表面には反射材料としての反射材の塗布あるいは反射シートを貼り付けているので、庫内の照明効果が向上され、冷蔵室庫内が明るく、使い勝手が向上できる。また、ランプの熱によるランプカバーの熱変形を確実に防止できる。
【産業上の利用可能性】
【００３６】
以上のように、本発明にかかる冷蔵庫は、庫内にランプとダクトを有するもので、ランプカバーを外すことなくランプの交換が可能となるので、庫内にランプとダクトを有する冷蔵機器等の用途にも適用できる。
【図面の簡単な説明】
【００３７】
【図１】本発明の実施の形態１における冷蔵庫の要部断面図
【図２】同実施の形態における冷蔵庫のランプカバー部の斜視図
【図３】同実施の形態における冷蔵庫のランプおよびランプカバー部の要部拡大図
【図４】従来の冷蔵庫の断面図
【符号の説明】
【００３８】
８    冷蔵室
１０    冷蔵庫
１１    内箱
１２    外箱
１４    ランプソケット
１５    冷気ダクト
１６    ランプカバー
１７    ランプ
１８    凹部
１９    穴
【図１】
2005114309.tif 000003
【図２】
2005114309.tif 000004
【図３】
2005114309.tif 000005
【図４】
2005114309.tif 000006